(57)【要約】      （修正有）【課題】尾が扇形に開いている状態を積極的に保持できる構成のえび天ぷら用蓋付トレーを提供する。【解決手段】尾部が扇形に開きこの尾部に衣で覆われた肉部が連続している平面形状のえび天ぷらに略対応した平面形状を有するえび天ぷらを収容可能な細長い凹所を設けたトレー本体２と、本体上面を覆う蓋３とからなり、凹所の尾部を収容する部分の底が衣で覆われた肉部を収容する部分の底１５よりも少し浅く形成され、本体上面を覆った蓋が凹所の少し浅く形成された底の部分に対向しえび天ぷらを収容したとき尾部に当接する下向き凸部１６を有する。底が、凹所の長手方向に直角な断面形状を高さが低く幅が広いＶ字形に形成され且つ凹所の衣で覆われた肉部を収容する部分に向って下降傾斜しており、蓋の下向き凸部が底の形状に対応して凸形に形成されている。底１５に対応する蓋の部分が、平面形状で底１５に対応する凹所開口の範囲よりも少し内側位置で上下に貫通して開口した窓部１７を設けてある。【選択図】図１
0003106581.tif 000002
【実用新案登録請求の範囲】
【請求項１】
尾部が扇形に開きこの尾部に衣で覆われた肉部が連続している平面形状のえび天ぷらに略対応した平面形状を有する前記えび天ぷらを収容可能な細長い凹所を設けたトレー本体と、前記本体上面を覆う蓋とからなり、前記凹所の前記尾部を収容する部分の底が前記衣で覆われた肉部を収容する部分の底よりも少し浅く形成され、前記本体上面を覆った前記蓋が前記凹所の少し浅く形成された底の部分に対向し前記えび天ぷらを収容したとき前記尾部に当接する下向き凸部を有することを特徴とするえび天ぷら用蓋付トレー。
【請求項２】
前記凹所の前記尾部を収容する部分の底が、前記凹所の長手方向に直角な断面形状を高さが低く幅が広いＶ字形に形成され且つ前記凹所の前記衣で覆われた肉部を収容する部分に向って下降傾斜しており、前記蓋の下向き凸部が前記凹所の前記尾部を収容する部分の底の形状に対応して凸形に形成されていることを特徴とする請求項１に記載のえび天ぷら用蓋付トレー。
【請求項３】
前記衣で覆われた肉部を収容する前記凹所の底に対応する蓋の部分が、平面形状で前記底に対応する開口の範囲よりも少し内側位置で上下に貫通して開口した窓部を設けてあることを特徴とする請求項１、又は請求項２に記載のえび天ぷら用蓋付トレー。
【考案の詳細な説明】
【技術分野】
【０００１】
この考案は、えびの天ぷらを収容するトレーに関し、特にその尻尾部分を保護できる構成の蓋付トレーに関する。
【背景技術】
【０００２】
従来、えびの天ぷらやフライを搬送、陳列のために一匹ごとに細長く区画した区画内に収容するトレーがある。しかし、単に一匹ごとに区画したトレーに収容したえびの天ぷらは運搬中の振動により尾の部分と胴の部分とが分断する問題があった。このような問題に対し、四方周囲に壁を有し、対抗する側壁間に一端は幅広で他端は幅狭の空間部を傾斜仕切り壁により形成し、空間部の底面を、幅広側を高くし、幅狭方向に下向きの傾斜面に形成した構成を有するえび天ぷら、フライの収納用トレーが提案されている（特許文献１参照）。この構成により、えび天ぷら、フライの衣側の幅の広い先端を空間部の幅広側に向け、幅狭側に尾扇を向けて収納することにより、幅狭方向に下向きに傾斜した底面によって空間部に収容されたえび天ぷら、フライは、幅狭方向に傾動する傾向となり、衣部が幅狭で拘束され、えび天ぷら、フライの長手方向の動きを防止し、尾扇部が容器の壁に当接して崩壊する不具合を防止する、というものである。
【特許文献１】特開平８−１４３０８５号公報
【考案の開示】
【考案が解決しようとする課題】
【０００３】
えびの天ぷらは、えびの尾の部分には衣が殆どなく、扇形に開いた状態であることが、商品価値の高いものの一つの条件として一般に認識されている。えびの種類によっては尾が鮮やかな赤色となるものがあり、この場合は特に、衣の外に露出していて扇形に開いていることが商品価値を高める上で望ましい。しかしながら、えびの天ぷらは尾が扇形に開いた良好な形態に揚げ工程が終了していたとしても、ある程度時間が経過するまでの間に、扇形を閉じるような方向の外力が加わったりすると、良好な形が崩れる。また、外力でなく時間経過により筋肉が収縮して扇形が閉じることもある。従って、えびの天ぷら用トレーとしては、尾が扇形に開いている状態を積極的に保持できる構成のものが望まれるが、従来のえび天ぷら用トレーには、このような構成のものがない。本考案は、尾が扇形に開いている状態を積極的に保持できる構成のえび天ぷら用蓋付トレーを提供することを目的とする。
【課題を解決するための手段】
【０００４】
本考案のえび天ぷら用蓋付トレーは、尾部が扇形に開きこの尾部に衣で覆われた肉部が連続している平面形状のえび天ぷらに略対応した平面形状を有する前記えび天ぷらを収容可能な細長い凹所を設けたトレー本体と、前記本体上面を覆う蓋とからなり、前記凹所の前記尾部を収容する部分の底が前記衣で覆われた肉部を収容する部分の底よりも少し浅く形成され、前記本体上面を覆った前記蓋が前記凹所の少し浅く形成された底の部分に対向し前記えび天ぷらを収容したとき前記尾部に当接する下向き凸部を有することを特徴とする。
【０００５】
この手段では、えび天ぷらを収容した状態は、尾部を収容する部分の底と凸部との間に扇形の尾部が厚さ方向に挟まれており、衣で覆われた肉部が主に対応する凹所の底と側壁とによって支えられ、トレーが傾いたり振動を受けたりするようなことがあってもえび天ぷらがトレー内で移動し難く、尾部つまり尻尾の扇形に開いた状態の部分の扇形を維持でき、扇形の部分と肉部が分断することを防止できる。
【０００６】
前記凹所の前記尾部を収容する部分の底が、前記凹所の長手方向に直角な断面形状を高さが低く幅が広いＶ字形に形成され且つ前記凹所の前記衣で覆われた肉部を収容する部分に向って下降傾斜しており、前記蓋の下向き凸部が前記凹所の前記尾部を収容する部分の底の形状に対応して凸形に形成されている構成とするのがよい。この構成では、通常のえび天ぷらの尾部は、扇形面が縦の中心線に沿って僅かに折り曲げた形状になると共に衣で覆われた肉部側に対して少し角度をなしている。この形に高さが低く幅が広いＶ字形断面で下降傾斜した尾部を収容する部分が対応しているから、えび天ぷらを所定の向きで収容すれば、その尾部及び衣で覆われた肉部が凹所の底側でより広い面で接触して支持され、また上側に位置する蓋の凸部もこの尾部の形に対応しているから、広い面で尾部に接触しておりこれを適切に拘束して、より効果的に尻尾の扇形部分の扇形を維持できると共に扇形の尾部と肉部が分断することを防止できる。
【０００７】
前記衣で覆われた肉部を収容する前記凹所の底に対応する蓋の部分が、平面形状で前記底に対応する開口の範囲よりも少し内側位置で上下に貫通して開口した窓部を設けてある構成とするのがよい。この構成では、肉部の衣で覆われた部分が、衣の付具合で少し盛り上がると蓋を用いた場合に押し付けられて変形することがあるが、窓部を設けたことによりその変形が防止又は軽減される。そして上下の振動に対しては、えび天ぷらが衣で覆われた部分を、平面形状の周辺部を上側から窓部の内側縁が当接して規制するから、損傷を防止できる。
【考案の効果】
【０００８】
請求項１記載の考案は、トレーが傾いたり振動を受けたりするようなことがあってもえび天ぷらがトレー内で移動し難く、尾部つまり尻尾の扇形に開いた状態の部分の扇形を維持でき、扇形の部分と肉部が分断することを防止できる効果を奏する。
請求項２記載の考案は、広い面で尾部に上下から接触していてこれを適切に拘束して、より効果的に尻尾の扇形部分の扇形を維持できると共に扇形の尾部と肉部が分断することを防止できる。
請求項３記載の考案は、上下の振動に対して、えび天ぷらが衣で覆われた部分を、平面形状の周辺部を上側から窓部の内側縁が当接して規制するから、損傷を防止できる。
【考案を実施するための最良の形態】
【０００９】
この考案のえび天ぷら用蓋付トレーは、本体及び蓋を薄い合成樹脂で成形したものとし、蓋は透明とする。本体は、尾部が扇形に開きこの尾部に衣で覆われた肉部が連続している平面形状のえび天ぷらに略対応した平面形状を有する前記えび天ぷらを収容可能な細長い凹所を設ける。尾部を収容する部分の底が前記衣で覆われた肉部を収容する部分の底よりも少し浅く形成され、前記凹所の長手方向に直角な断面形状を高さが低く幅が広いＶ字形に形成され且つ前記凹所の前記衣で覆われた肉部を収容する部分に向って下降傾斜しているものとする。蓋は、本体上面全体を覆い前記凹所の少し浅く形成された底の部分に対向し前記えび天ぷらを収容したとき尾部に当接する下向き凸部を有し、この下向き凸部が前記凹所の尾部を収容する部分の底の形状に対応しており、断面形状を高さが低く幅が広いＶ字形に且つ下降傾斜しているものとする。また、衣で覆われた肉部を収容する凹所の底に対応する蓋の部分が、平面形状で前記底に対応する開口の範囲よりも少し内側位置で上下に貫通して開口した窓部を設ける。一つのえび天ぷらが収容される収容部がトレーに多数配列して設けられるときは、長手方向に直角な列で細長い凹部の長手方向を交互に逆に配置する。
【実施例１】
【００１０】
この考案の１実施例を、図１〜図４を用いて説明する。このえび天ぷら用蓋付トレー１は、図３に平面図を示す本体２と、図４に平面図を示す蓋３とからなる。図１は本体２に蓋３を装着した状態を示し、図２は図１の概略断面図を示す。本体２は、えび天ぷら１１の一匹分を収容可能な細長い凹所１０を１０個設けてある。凹所１０は一般的なえび天ぷら１１の形状、すなわち、図２、図３に仮想線で示すように尾部１２が扇形に開きこの尾部に衣で覆われた肉部１３が連続している形状、のえび天ぷらの平面形状に略対応した平面形状を有する。そして凹所１０は、図２、図３に見られるように、衣で覆われた肉部１３を収容する部分と、尾部１２を収容する部分とで構成されている。尾部１２を収容する部分の底１４が、衣で覆われた肉部１３を収容する部分の底１５よりも少し浅く形成され、また、その尾部１２を収容する部分の長手方向に直角な断面形状を、高さが低く幅が広いＶ字形に形成され且つ衣で覆われた肉部１３を収容する部分側に向って下降傾斜させてある。このような凹所１０が、図３に見られるように、一つの本体に１０個、交互に向きを変えて２列に設けてある。なお、図3における底１４、１５に格子状に見られるものは浅い溝状部を表面に形成したものであり、側壁１８の平面形状に見られる小凹凸及び側壁１８の斜め部分１８ａに見られる平行線も浅い溝状部を表面に形成したものである。
【００１１】
蓋３は、本体２上面全体を覆い、凹所１０の少し浅く形成された底１４に対向しえび天ぷら１１を収容したとき尾部１２に当接する下向き凸部１６を有し、この下向き凸部１６が凹所１０の尾部１２を収容する部分の底１４の形状に対応して断面形状を高さが低く幅が広いＶ字形に形成され且つ下降傾斜している。また、衣で覆われた肉部１３を収容する凹所１０の底１５に対応する蓋３の部分が、平面形状で底１５に対応する開口の範囲よりも少し内側位置で上下に貫通して開口した窓部１７を設けてある。窓部１７の縁部は、図２に見られるように、断面が半円弧状の下向き凸部に形成されている。この形状は衣に接触したとき衣を傷付け難い。
【００１２】
このえび天ぷら用蓋付トレー１は、例えば、えび天ぷら製造工場において製造されたえび天ぷらを、本体２の凹所１０に夫々所定の方向に向けて収容し、蓋３をかぶせて出荷する。蓋付トレー１に収容されたえび天ぷら１１は、衣で覆われた肉部１３が、本体２の凹所１０の深い側の底１５と、その底１５から立ち上がっている両側の側壁１８、１８と、蓋３の窓部１７の縁部とに当接し、尾部１２が本体２の浅い底１４と、蓋３の凸部１６とに挟まれており、えび天ぷら１１の両端及び窓部１７の開口内側では当接していないが、多くの当接箇所で拘束され、蓋付トレー１が傾いたとき、振動した時などに蓋付きトレー１内でえび天ぷら１１が移動し難く、損傷や尾部が肉部１３から離れるようなことを防止され、また、時間の経過で尾部の扇形に開いた状態から筋肉の収縮によって閉じることも防止される。
【産業上の利用可能性】
【００１３】
このえび天ぷら用蓋付トレーは、天ぷら生産工場からの出荷用に最適であるが、蓋に用いる合成樹脂材料を透明体としておくことによりそのまま小売店などにおける陳列用トレーとして使用でき、衣や尾部の形態を損なうことを防止できると共に開蓋しないでえび天ぷらの形態を購入者に見えるようにすることができる。
【図面の簡単な説明】
【００１４】
【図１】本考案の一実施例を示す平面図である。
【図２】図１の概略断面を示し、（ａ）はＡ−Ａ断面端面図、（ｂ）はＢ−Ｂ断面端面図、（ｃ）はＣ−Ｃ断面端面図である。
【図３】同実施例の本体の平面図である。
【図４】同実施例の蓋の平面図である。
【符号の説明】
【００１５】
１      えび天ぷら用蓋付トレー（蓋付きトレー）
２      本体
３      蓋
１０    凹所
１１    えび天ぷら
１２    尾部
１３    肉部
１４    底（尾部収容部の底）
１５    底（衣で覆われた肉部収容部の底）
１６    凸部
１７    窓部
１８    側壁
１８ａ  側壁の斜め部分
【図１】
0003106581.tif 000003
【図２】
0003106581.tif 000004
【図３】
0003106581.tif 000005
【図４】
0003106581.tif 000006